(57)【要約】【課題】昼夜を問わず犬猫等の動物を確実に撃退することができる動物撃退装置を提供すること。【解決手段】第１の導電性シート４と、少なくとも一部が導電性材料５ｂで形成された餌載置部５と、第１の導電性シート４及び餌載置部５に電気的に接続された衝撃電圧発生装置１と、衝撃電圧発生装置１が衝撃電圧を発生させるときに点灯する出力ランプ３とを備えた動物撃退装置１００において、出力ランプ３を不透光性の扉９で開閉可能に覆い、出力ランプ３からの光が常時は外部に漏れないようにした。【選択図】図１
2006136252.tif 000002
【特許請求の範囲】
【請求項１】
第１の導電性シートと、少なくとも一部が導電性材料で形成された餌載置部と、第１の導電性シート及び餌載置部に電気的に接続された衝撃電圧発生装置と、衝撃電圧発生装置が衝撃電圧を発生させるときに点灯する出力ランプとを備え、出力ランプを不透光性の扉で開閉可能に覆った動物撃退装置。
【請求項２】
第１の導電性シートと、少なくとも一部が導電性材料で形成された餌載置部と、第１の導電性シート及び餌載置部に電気的に接続された衝撃電圧発生装置と、衝撃電圧発生装置が衝撃電圧を発生させるときに点灯する出力ランプとを備え、出力ランプがスイッチ手段を操作したときにのみ点灯するようにした動物撃退装置。
【請求項３】
第１の導電性シートと、少なくとも一部が導電性材料で形成された餌載置部と、第１の導電性シート及び餌載置部に電気的に接続された衝撃電圧発生装置と、衝撃電圧発生装置が衝撃電圧を発生させるときに点灯する出力ランプと、光センサとを備え、光センサで設置場所の明暗を感知し、暗い場合は明るい場合に比べて出力ランプの照度を低くし、かつ、明るい場合は暗い場合に比べて出力ランプの照度を高くするようにした動物撃退装置。
【請求項４】
餌載置部が、絶縁性材料で凹状に形成された餌収納容器と、餌収納容器の内面に配置された第２の導電性シートとを備え、衝撃電圧発生装置が第１及び第２の導電性シートに電気的に接続されている請求項１〜３のいずれかに記載の動物撃退装置。
【請求項５】
餌載置部の全部が導電性材料で形成されている請求項１〜３のいずれかに記載の動物撃退装置。
【発明の詳細な説明】
【技術分野】
【０００１】
本発明は、屋外を徘徊し、糞尿を放出する等の各種の害を及ぼす犬猫や野生の動物等を、電撃により撃退する動物撃退装置に関するものである。
【背景技術】
【０００２】
屋外を徘徊する犬猫等は、庭先などに糞尿を撒き散らし、また、花壇や家庭菜園、ゴミ集積場等をほじくり返したりする厄介者である。また、野生の動物等は農地に出没し、農作物を荒らしている。
【０００３】
そのため、従来より、各種の動物撃退装置が提案されており、特許文献１には、電撃を利用した動物撃退装置が提案されている。
【０００４】
この特許文献１の動物撃退装置は、対向電極からなる撃退用電極部と、この対向電極に撃退用電圧を供給する発振回路とを有し、対向電極に例えば犬猫等が乗ると、発振回路から供給される撃退用電圧によって感電し、その電撃により犬猫等を撃退するようにしたものである。
【０００５】
しかし、この動物撃退装置では、特許文献１の段落００２１に記載されているように対向電極部のプラス極とマイナス極の間隔が２ｍｍ程度であるため雨が降っただけでショートしてしまい現実的でない。
【０００６】
また、犬猫等の動物が直接電撃を受ける部位は基本的には足裏、又は、毛深く覆われた背中、腹等であり、足裏は皮膚が厚く電撃に鈍感である。そして、背中、腹等の毛は電流を通しにくい。したがって、足裏の周囲、又は、背中、腹の周囲に電圧を印加したとしても、電撃が加わりにくい。
【０００７】
さらに、この動物撃退装置は、撃退電極部上を撮像手段で撮像し、この撮像手段の出力データから撃退電極部上の動物を動物検出手段により検出し、所定の動物の場合のみ発振回路からの撃退用電圧を対向電極に印加し、所定の動物以外の場合は発振回路からの撃退用電圧を対向電極に印加しないようにして、人への感電防止を図っているが、実際にこれを実現化すると著しく高価な装置になってしまい、犬猫等を追い払うだけにしては誠に実際的でない。
【０００８】
このように、特許文献１の動物撃退装置では、対向電極に雨が降ったり、他の物質が接触したりするだけでショートし、機能が著しく低下して犬猫等に対して電撃を有効に与えることができないという問題があった。
【０００９】
さらに、実現化するには高価すぎるという問題点があり、また、電撃を有効に与えるためには撃退用電圧としての発振回路からの発振出力の電圧を高くしなければならず、そうすると、消費電力が大きくなるという問題があった。
【００１０】
そこで、本願出願人は、特願２００４−２３２５３８において、新たな動物撃退装置を提案した。この動物撃退装置は、地面に敷設する第１の導電性シートと、絶縁性材料で凹状に形成された餌収納容器と、餌収納容器の内面に配置された第２の導電性シートと、第１及び第２の導電性シートに電気的に接続された衝撃電圧発生装置と、衝撃電圧発生装置が衝撃電圧を発生させるときに点灯する出力ランプを備えたものである。これによって、簡単な構造となり、そして安価で、しかも、電撃に対する感受性の高い動物の舌や口や鼻の周囲に確実に電撃を与えることができるようになり、よって少ない消費電力で有効な電撃を動物に与えることができ、動物が電撃をよく学習し撃退効果を高めることができるようになった。
【００１１】
実際、試験的に、この動物撃退装置を猫用の撃退装置として使用したところ、昼間は、猫は全く自然に何の警戒もなく動物撃退装置に近づき餌収納容器内の餌を食べ、その際に電撃を受け退散した。
【００１２】
しかし、夜間は、猫は必要以上に警戒している態度を見せ、動物撃退装置をじっと見つめるだけで餌を食べずに立ち去る場合もあった。これは、夜間は、猫が衝撃電圧発生時に点灯する出力ランプの点滅を警戒したためと考えられる。
【００１３】
すなわち、昼間は周囲が明るいため猫の目の瞳孔は小さくなっており、出力ランプが点滅していたとしても気付くことはないが、夜間は周囲が暗いため瞳孔が拡大し、出力ランプの点滅を敏感に感じ取り、これを警戒したものと考えられる。
【００１４】
このように、本願出願人が先に提案した動物撃退装置には、夜間の撃退効果に問題が残されていた。
【特許文献１】特開２００４−１４１１１９号公報
【発明の開示】
【発明が解決しようとする課題】
【００１５】
本発明が解決しようとする課題は、昼夜を問わず犬猫等の動物を確実に撃退することができる動物撃退装置を提供することにある。
【課題を解決するための手段】
【００１６】
上記従来の動物撃退装置において夜間に十分な動物撃退効果が得られなかった原因は、上述のとおり、犬猫等の動物が衝撃電圧発生時に点灯する出力ランプの点滅を警戒したためと考えられる。
【００１７】
そこで、本発明は、夜間に出力ランプの点滅が犬猫等の動物によって感知されないようにすることによって上記課題を解決した。
【００１８】
すなわち、本発明の第１の形態では、第１の導電性シートと、少なくとも一部が導電性材料で形成された餌載置部と、第１の導電性シート及び餌載置部に電気的に接続された衝撃電圧発生装置と、衝撃電圧発生装置が衝撃電圧を発生させるときに点灯する出力ランプとを備えた動物撃退装置において、出力ランプを不透光性の扉で開閉可能に覆い、出力ランプからの光が常時は外部に漏れないようにした。
【００１９】
第２の形態では、出力ランプがスイッチ手段を操作したときにのみ点灯するようにして出力ランプからの光が常時は外部に漏れないようにした。
【００２０】
第３の形態では、光センサで設置場所の明暗を感知し、暗い場合は明るい場合に比べて出力ランプの照度を低くし、かつ、明るい場合は暗い場合に比べて出力ランプの照度を高くするようにして、出力ランプの点滅によって犬猫等の動物に警戒感を与えないようにした。
【００２１】
本発明において、餌載置部は、少なくとも一部が導電性材料で形成され、衝撃電圧発生装置と電気的に接続されたものであれば良く、例えば、絶縁性材料で凹状に形成された餌収納容器と、餌収納容器の内面に配置された第２の導電性シートとから構成し、第２の導電性シートに衝撃電圧発生装置を電気的に接続するようにしても良い。また、餌載置部の全部を導電性材料で形成しても良い。
【００２２】
このような構成において、例えば犬猫等の身体の一部が第１の導電性シートに接触し、この犬猫等の他の部位が餌載置部に接触すると、衝撃電圧発生装置からの衝撃電流が流れ、犬猫等に電撃が与えられる。ここで、第１の導電性シートと餌載置部とは、対象となる犬猫等の体長にほぼ匹敵する位の距離をあけて配置することが好ましい。これによって、犬猫等の舌や口や鼻の周囲が餌載置部に、より接触しやくなる。すなわち、犬猫等の舌や口や鼻の周囲は、犬猫等の身体で最も電撃を感ずる部位であるので、犬猫等が電撃をよく学習し撃退効果を高めることができる。また、第１の導電性シートと餌載置部とを犬猫等の体長にほぼ匹敵する位の距離をあけて配置することで、雨などが降ってもショートしにくくなる。
【発明の効果】
【００２３】
本発明によれば、犬猫や野生の動物等が出力ランプの点滅を感知して警戒感を持つことがなくなるので、昼夜を問わず犬猫等の動物を確実に撃退することができる。
【発明を実施するための最良の形態】
【００２４】
以下、本発明の実施の形態を図面に示す実施例に基づき説明する。
【実施例１】
【００２５】
図１は、本発明に係る動物撃退装置の一実施例を示す概略断面図である。同図に示す動物撃退装置１００は猫用の撃退装置である。
【００２６】
図１において、動物撃退装置１００は、衝撃電圧発生装置１と、電源としての電池２と、出力ランプ３と、第１の導電性シート４と、餌載置部５と、餌６とを主要な構成とする。
【００２７】
衝撃電圧発生装置１は、電池２から供給される直流電圧を作動電源として、出力端子１ａ，１ｂ間にパルス状の衝撃電圧を一定の周期で発生させる。衝撃電圧発生装置１は、絶縁性材料で成型された収納ボックス７内に収納され、収納ボックス７の外面に設けたスイッチ８によってオン・オフされる。
【００２８】
出力ランプ３は発光ダイオードからなり、衝撃電圧発生装置１から衝撃電圧が発生しているかどうかを目視で確認できるように、衝撃電圧発生装置１が衝撃電圧を発生させるときに点灯するようになっている。この出力ランプ３は、収納ボックス７の外側面を凹ませて形成したランプ収納凹部７ａの中に収納され、ランプ収納凹部７ａの開口部は、不透光性の扉９で開閉可能に覆われている。これによって、出力ランプ３の光が常時は外部に漏れないようにしている。
【００２９】
第１の導電性シート４は、衝撃電圧発生装置１のマイナス側の出力端子１ａに導電線１０を介して接続される。この第１の導電性シート４には、直径１ｍｍ程度の金属線で編まれた網目１５ｍｍ程度の金網等を使用することができる。また、この第１の導電性シート４の材質は導電性であれば良いので、金属板あるいは金属箔を被着させたプラスチック板等も使用できる。
【００３０】
餌載置部５は、餌収納容器５ａと、餌収納容器５ａの内面に配置した第２の導電性シート５ｂとから構成される。餌収納容器５ａは絶縁性材料により凹状に成型され、収納ボックス７の上に載置される。第２の導電性シート５ｂは、餌収納容器５ａ内面の上端部近傍を除いて配置され、衝撃電圧発生装置１のプラス側の出力端子１ｂに導電線１１を介して接続される。そして、餌収納容器５ａの内面底面部中央付近の第２の導電性シート５ｂ上に餌６が置かれる。第２の導電性シート５ｂには、厚さ０．２ｍｍ程度の金属箔等を使用することができ、また、直径０．１ｍｍ程度の金属線で編まれた網目１ｍｍ程度の金属網等も使用できる。
【００３１】
以上の構成において、猫が餌収納容器５ａ内の餌６に引き寄せられ、それを食べようとすると、図１に示すように、後足は第１の導電性シート４に乗り、前足は餌収納容器５ａの上端に掛けた状態になる。この状態では、餌収納容器５ａが絶縁性であるので、衝撃電流は猫の体内には流れず猫は電撃を受けない。
【００３２】
その後、猫が餌収納容器５ａ内に頭を突っ込み餌６を食べようとすると、舌や口や鼻の周囲が第２の導電性シート５ｂに接触する。これにより、衝撃電圧発生装置１から衝撃電流が猫の体内に流れ、猫はその舌や口や鼻の周辺に電撃を受ける。
【００３３】
なお、犬猫等が餌を食べようとするとき、前足及び後足を第１の導電性シート４に載せ、頭部を餌載置部５に突っ込み餌６を食べようとする場合もある。この場合も、本実施例では、電撃に対する感受性の高い犬猫等の舌や口や鼻の周辺に確実に電撃を与えることができる。
【００３４】
このように、本発明によれば、電撃に対する感受性の高い犬猫等の舌や口や鼻の周辺に確実に電撃を与えることができる。そして、電撃を学習した犬猫等は、当分の間又は永遠にその場所に近寄らなくなる。
【００３５】
さらに、本実施例では、ランプ収納凹部７ａ内に出力ランプ３を収納し、さらにその開口部を不透光性の扉９で開閉可能に覆うことによって、出力ランプ３からの光が常時は外部に漏れないようにしたので、犬猫等が出力ランプ３の点滅を感知して警戒感を持つことがなくなり、昼夜を問わず犬猫等を確実に撃退することができる。
【００３６】
なお、人が衝撃電圧発生装置１から衝撃電圧が出ているかどうかを確認する際には、扉９を開けて出力ランプ３の点滅を確認すれば良い。
【００３７】
以上の実施例では、第２の導電性シート５ｂを餌収納容器５ａの内面にその上端部近傍を除いて配置したが、第２の導電性シート５ｂを餌収納容器５ａの底面部にのみ配置しても良い。さらに、犬猫等が餌を食べようとするとき、前足及び後足を第１の導電性シート４に載せ、頭部を餌載置部５に突っ込み餌６を食べようとする場合もある。この場合、犬猫等の身体は餌載置部５の上端部には触れないので、第２の導電性シート５ｂを餌収納容器５ａの内面全面に配置、あるいは餌載置部を導電性材料で形成した餌収納容器としたとしても、電撃に対する感受性の高い犬猫等の舌や口や鼻の周辺に確実に電撃を与えることができる。
【実施例２】
【００３８】
図２は、本発明に係る動物撃退装置の他の実施例を示す概略断面図である。図２において、図１に示した先の実施例と同一の構成には同一の符号を付し、その説明を省略する。
【００３９】
図１に示した先の実施例では、餌載置部５を餌収納容器５ａと餌収納容器５ａの内面に配置した第２の導電性シート５ｂとから構成したが、本実施例では、餌載置部５を導電性材料で形成した餌収納容器で構成した。
【００４０】
すなわち、衝撃電圧発生装置１のプラス側の出力端子１ｂに導電線１１を介して餌載置部５を電気的に接続し、餌載置部５の内面底面部の中央付近に餌６を置くようにした。
【００４１】
この実施例においても、ランプ収納凹部７ａ内に出力ランプ３を収納し、さらにその開口部を不透光性の扉９で開閉可能に覆うことによって、出力ランプ３からの光が常時は外部に漏れないようにしたので、犬猫等が出力ランプ３の点滅を感知して警戒感を持つことがなくなり、昼夜を問わず犬猫等を確実に撃退することができる。
【００４２】
なお、人が衝撃電圧発生装置１から衝撃電圧が出ているかどうかを確認する際には、扉９を開けて出力ランプ３の点滅を確認すれば良い。
【実施例３】
【００４３】
図３は、本発明に係る動物撃退装置のさらに他の実施例を示す概略断面図である。図３において、図１に示した先の実施例と同一の構成には同一の符号を付し、その説明を省略する。
【００４４】
図１に示した先の実施例では、出力ランプ３からの光が常時は外部に漏れないようにするため、出力ランプ３を不透光性の扉９で開閉可能に覆うようにしたが、本実施例では、スイッチ手段として押しボタン１２を設け、この押しボタン１２を押したときにのみ、出力ランプ３が点灯するようにした。
【００４５】
これによって、出力ランプ３は常時は点滅しないので、図１に示した先の実施例と同様に、夜間でも猫に警戒感を与えることはなくなった。また、人が衝撃電圧発生装置１から衝撃電圧が出ているかどうかを確認する際には、押しボタン１２を押して出力ランプ３の点滅を確認すれば良い。
【００４６】
なお、この押しボタン１２を使用した実施例は、餌載置部を図２のようにしたものにも適用できる。
【実施例４】
【００４７】
図４は、本発明に係る動物撃退装置において出力ランプの照度を設置場所の明暗に応じて変化させるための出力ランプ回路の概略回路図である。同図に示す出力ランプ回路では、出力ランプ３に光センサとしてＣｄＳ１３を直列に接続している。ＣｄＳ１３は、センサ面にあたる光の量によって抵抗値が変化するセンサ素子であり、具体的には、光の量が多いと抵抗値が低くなり、光の量が少ないと抵抗値が高くなる。そして、ＣｄＳ１３は、設置場所の光を感知可能な場所に配置される。
【００４８】
したがって、図４に示すような回路構成とすると、夜間のように暗い場合は、ＣｄＳ１３の抵抗値が高くなるので出力ランプ３の照度が低くなる。この照度を猫に警戒感を与えない程度に調節することにより、出力ランプ３が点滅したとしても猫に警戒感を与えることはなくなる。そして、夜間で辺りは暗いので、出力ランプ３の照度が低くても衝撃電圧が出ているかどうかを人が確認することは容易である。
【００４９】
昼間のように明るい場合は、ＣｄＳ１３の抵抗値が低くなるので出力ランプ３の照度が高くなる。ただし、昼間、猫は出力ランプ３の点滅を感じにくいので猫に警戒感を与えることはない。一方、昼間に出力ランプ３の照度が高くなることにより、衝撃電圧が出ているかどうかを人が確認することが容易となる。
【００５０】
図５は出力ランプ回路の変形例を示す概略回路図である。同図に示す出力ランプ回路は、図４に示したものに可変抵抗Ｒ１と固定抵抗Ｒ２，Ｒ３とトランジスタＴｒを追加したものである。そして、図５に示すような回路構成とすると、可変抵抗Ｒの抵抗値を変化させることにより、出力ランプ３の照度（明暗の程度）を自由に調整することができる。そして、図５の出力ランプ回路も、ＣｄＳ１３を備えているので、出力ランプ３の照度を設置場所の明暗に応じて変化させることができる。その他、光センサと集積回路部品を組み合わせることによっても、夜間は暗く点灯し、昼間は明るく点灯させることができる。
【００５１】
このＣｄＳ１３を使用した実施例は、餌載置部を図２のようにしたものにも適用できる。
【産業上の利用可能性】
【００５２】
本発明の動物撃退装置は、花壇や家庭菜園、ゴミ集積場等のあらゆる場所に設置して、屋外を徘徊する犬猫や野生の動物等を撃退するために利用可能である。
【図面の簡単な説明】
【００５３】
【図１】本発明に係る動物撃退装置の一実施例を示す概略断面図である。
【図２】本発明に係る動物撃退装置の他の実施例を示す概略断面図である。
【図３】本発明に係る動物撃退装置のさらに他の実施例を示す概略断面図である。
【図４】本発明に係る動物撃退装置において出力ランプの照度を設置場所の明暗に応じて変化させるための出力ランプ回路の概略回路図である。
【図５】図４の出力ランプ回路の変形例を示す概略回路図である。
【符号の説明】
【００５４】
１００  動物撃退装置
１  衝撃電圧発生装置
１ａ  マイナス側の出力端子
１ｂ  プラス側の出力端子
２  電池
３  出力ランプ
４  第１の導電性シート
５  餌載置部
５ａ  餌収納容器
５ｂ  第２の導電性シート
６  餌
７  収納ボックス
７ａ  ランプ収納凹部
８  スイッチ
９  不透光性の扉
１０、１１  導電線
１２  押しボタン
１３  ＣｄＳ
【図１】
2006136252.tif 000003
【図２】
2006136252.tif 000004
【図３】
2006136252.tif 000005
【図４】
2006136252.tif 000006
【図５】
2006136252.tif 000007